(57)【要約】      （修正有）【課題】情報処理装置を操作するための画面が情報処理装置以外の装置にも表示される場合において、秘匿情報の秘匿性が情報処理装置において確保される技術を提供する。【解決手段】複合装置は、自装置の機能を操作するための操作画面であり、秘匿情報が表示されない第１の操作画面を自装置に表示し、自装置の機能を操作するための操作画面であり、秘匿情報が表示された第２の操作画面を端末に表示するように制御する制御部を有する。【選択図】図１
2018124711.tif 000002
【特許請求の範囲】
【請求項１】
自装置の機能を操作するための操作画面であり、秘匿情報が表示されない第１の操作画面を前記自装置に表示し、
前記自装置の機能を操作するための操作画面であり、秘匿情報が表示されている第２の操作画面を端末に表示するように制御する
制御部を有する情報処理装置。
【請求項２】
前記端末の認証情報を用いて、接続の認証を要求してきた端末を認証する認証部を有し、
前記制御部は、前記第２の操作画面を認証された端末に表示するように制御する
請求項１に記載の情報処理装置。
【請求項３】
前記制御部は、前記第２の操作画面が表示されている間は前記第１の操作画面を用いて行われる指示を無効にする制御を行う請求項１又は請求項２に記載の情報処理装置。
【請求項４】
前記制御部は、前記秘匿情報の少なくとも一部を他の情報に置換して前記第１の操作画面の表示を制御する請求項１から請求項３のいずれかに記載の情報処理装置。
【請求項５】
前記制御部は、前記第１の操作画面中において秘匿情報が表示されるべき箇所の選択に応答して、前記端末に前記第２の操作画面を表示するように制御する請求項１から請求項４のいずれかに記載の情報処理装置。
【請求項６】
前記制御部は、前記第１の操作画面の操作内容と前記第２の操作画面の操作内容とが異なるように、前記第１の操作画面と前記第２の操作画面との表示を制御する請求項１から請求項５のいずれかに記載の情報処理装置。
【請求項７】
情報処理装置のプログラムであって、前記情報処理装置を、
前記情報処理装置の機能を操作するための操作画面であり、秘匿情報が表示されない第１の操作画面を前記情報処理装置に表示し、
前記情報処理装置の機能を操作するための操作画面であり、秘匿情報が表示された第２の操作画面を端末に表示するように制御する
制御部として機能させるプログラム。
【発明の詳細な説明】
【技術分野】
【０００１】
本発明は情報処理装置及びそのプログラムに関する。
【背景技術】
【０００２】
近年、多種にわたる情報をデータ化してＰＣ（Ｐｅｒｓｏｎａｌ  Ｃｏｍｐｕｔｅｒ）又はサーバ等の情報処理装置に格納させるのが通常となっている。これらデータ化した情報の中には、例えば、個人情報又は機密情報等の秘匿情報が含まれており、関係者以外に漏洩しないように様々な対策が講じられている。特に、オフィスにおいては、データ化した情報を多数のユーザが共有することが多い。このような条件下では、前記情報に対するアクセス権限はユーザの所属部署又は役職等のユーザの立場によって異なる。このため、アクセスできるデータがユーザによって異なってくる。
【０００３】
特許文献１には、秘匿情報へのアクセス権限を秘匿情報が記憶されているデータベースの１レコード毎に設定し、アクセス権限のないユーザに対して、そのレコードの所定のカラムに記されている秘匿情報の全部を隠ぺいして表示することにより、アクセス権限のないユーザに対して秘匿性を確保する技術が記載されている。
【先行技術文献】
【特許文献】
【０００４】
【特許文献１】特開２００５−１５８０３８号公報
【発明の概要】
【発明が解決しようとする課題】
【０００５】
本発明が解決しようとする課題は、情報処理装置を操作するための画面が情報処理装置以外の装置にも表示される場合において、秘匿情報の秘匿性が前記情報処理装置において確保される技術を提供することにある。
【課題を解決するための手段】
【０００６】
第１の発明は、自装置の機能を操作するための操作画面であり、秘匿情報が表示されない第１の操作画面を前記自装置に表示し、前記自装置の機能を操作するための操作画面であり、秘匿情報が表示された第２の操作画面を端末に表示するように制御する制御部を有する情報処理装置である。
【０００７】
第２の発明は、上記第１の発明において、前記端末の認証情報を用いて、接続の認証を要求してきた端末を認証する認証部を有し、前記制御部は前記第２の操作画面を認証された端末に表示するように制御する情報処理装置である。
【０００８】
第３の発明は、上記第１又は第２の発明において、前記制御部は、前記第２の操作画面が表示されている間は前記第１の操作画面を用いて行われる指示を無効にする制御を行う情報処理装置である。
【０００９】
第４の発明は、上記第１から第３の発明のいずれかにおいて、前記制御部は、前記秘匿情報の少なくとも一部を他の情報に置換して前記第１の操作画面の表示を制御する情報処理装置である。
【００１０】
第５の発明は、上記第１から第４のいずれかの発明において、前記制御部は、前記第１の操作画面中において秘匿情報が表示されるべき箇所の選択に応答して、前記端末に前記第２の操作画面を表示するように制御する情報処理装置である。
【００１１】
第６の発明は、前記制御部は、前記第１の操作画面の操作内容と前記第２の操作画面の操作内容とが異なるように、前記第１の操作画面と前記第２の操作画面との表示を制御する情報処理装置である。
【００１２】
第７の発明は、情報処理装置のプログラムであって、前記情報処理装置を、前記情報処理装置の機能を操作するための操作画面であり、秘匿情報が表示されない第１の操作画面を前記情報処理装置に表示し、前記情報処理装置の機能を操作するための操作画面であり、秘匿情報が表示された第２の操作画面を端末に表示するように制御する制御部として機能させるプログラムである。
【発明の効果】
【００１３】
請求項１に係る発明によると、情報処理装置において秘匿性を保つことができる。
請求項２に係る発明によると、認証した端末に秘匿情報を表示することができる。
請求項３に係る発明によると、誤動作が起きにくい。
請求項４に係る発明によると、情報処理装置には秘匿情報は表示されず、秘匿情報を他のユーザが視認し難い。
請求項５に係る発明によると、ユーザが秘匿情報を表示させる必要となった時点で、端末に秘匿情報を表示させることができるので、ユーザの利便性が高くなる。
請求項６に係る発明によると、操作に必要な情報を、一度に多く表示部に表示することができる。
請求項７に係る発明によると、秘匿性を保ちつつ秘匿情報を表示することができる。
【図面の簡単な説明】
【００１４】
【図１】本発明に係る情報処理装置を用いたシステムの概要図である。
【図２】ログイン情報の一例である。
【図３】秘匿情報を表示させない一例を説明するための図である。
【図４】情報処理装置に表示される操作画面の一例である。
【図５】シーケンス図である。
【図６】第１の実施の形態における複合装置の動作を説明するための図である。
【図７】操作画面の遷移の流れの一例である。
【図８】操作画面の一例である。
【図９】操作画面の一例である。
【図１０】操作画面の一例である。
【図１１】操作画面の一例である。
【図１２】第２の実施の形態における複合装置の動作を説明するための図である。
【図１３】操作画面の一例である。
【図１４】操作画面の一例である。
【図１５】操作画面の一例である。
【図１６】操作画面の一例である。
【図１７】操作画面の一例である。
【図１８】第３の実施の形態における操作画面の一例である。
【図１９】本発明に係る複合装置の他の構成例である。
【発明を実施するための形態】
【００１５】
本発明は、自装置の機能を操作するための操作画面であり、秘匿情報が表示されない第１の操作画面を前記自装置に表示し、前記自装置の機能を操作するための操作画面であり、秘匿情報が表示された第２の操作画面を端末に表示するように制御する制御部を有する情報処理装置である。
【００１６】
ここで、情報処理装置は、パーソナルコンピュータ（ＰＣ）、タブレット、複合装置（Ｍｕｌｔｉ-Ｆｕｎｃｔｉｏｎ  Ｐｅｒｉｐｈｅｒａｌ：ＭＦＰ）、複写装置、プリンタ装置、ファクシミリ等の情報を処理する装置であれば、種類は問われない。以下の説明は、情報処理装置が複合装置の場合である。
【００１７】
秘匿情報は、特定のユーザのみに閲覧（アクセス）が許可される情報である。前記秘匿情報は、例えば複合装置のＲＡＭに一時的に記憶されるスキャン画像である。また、前記秘匿情報は、複合装置のハードディスク又は不揮発性メモリに格納されている宛先情報（住所録）又はデータファイルの内容である。例えば、複合装置が接続しているネットワーク上のデータサーバ等のデータベースに格納されている宛先情報（住所録）又はデータファイルの内容である。勿論、これ等に限られない。秘匿情報は、特定のユーザのみが閲覧許可されている情報の中で、複合装置の表示部に表示させない情報であっても良い。秘匿情報は、データベースのテーブル毎、カラム毎、レコード毎、フィールド毎に適宜設定されていても良い。
【００１８】
情報が表示される表示部（ディスプレイ等）がアクセス権限の有無に関わらず誰にでも見えてしまう環境下では、正当なアクセス権限を有するユーザが表示部に秘匿情報を表示させた場合、その秘匿情報はアクセス権限を有しない他のユーザにまで見えてしまう。即ち、ショルダーハッキングによる盗み見が起きてしまう。従って、秘匿性が確保されているとは言い難い。特に、オフィスにおいて、多数のユーザが利用するスキャナ、コピー、プリンタ、ファクシミリ、又はその複合装置等において秘匿情報が表示された場合、秘匿性が確保されているとは言い難い。本発明によると、秘匿情報の秘匿性が確保される。
【００１９】
<第１の実施の形態>
図１は、第１の実施の形態に係る複合装置を用いたシステムの概要図である。図１中、１０はユーザ端末であり、２０は複合装置である。
【００２０】
ユーザ端末１０は、スマートフォンやタブレット型端末等の無線機能を有する端末である。ユーザ端末１０は、無線ネットワークインターフェース１１、制御部１２、表示部１３、及び操作部１４を有する。
【００２１】
無線ネットワークインターフェース１１は、無線ＬＡＮ（Ｌｏｃａｌ  Ａｒｅａ  Ｎｅｔｗｏｒｋ）を介してデータを送受信する。無線ネットワークインターフェース１１は、ユーザ端末１０が複合装置２０に接続する際、接続の認証要求を送信して端末認証を受ける。認証要求には端末識別情報が認証情報として含まれており、無線ネットワークインターフェース１１は自端末を一意に識別する端末識別情報を有する。以下の例は、端末識別情報としてＭＡＣ（Ｍｅｄｉａ  Ａｃｃｅｓｓ  ｃｏｎｔｒｏｌ）アドレスが用いられた例である。しかし、これに限られない。例えば、端末固有に付され、端末を一意に識別できる情報であれば他の情報であっても良い。例えば、ＵＵＩＤ（Ｕｎｉｖｅｒｓａｌｌｙ  Ｕｎｉｑｕｅ  ＩＤｅｎｔｉｆｉｅｒ）であってもよい。この場合、ＵＵＩＤのバリアント（変種）は問わないが、例えば、時刻とＭＡＣアドレスを利用したＵＵＩＤ（バージョン１）、バージョン１のＵＵＩＤの一部を、ＰＯＳＩＸ（Ｐｏｒｔａｂｌｅ  Ｏｐｅｒａｔｉｎｇ  Ｓｙｓｔｅｍ  Ｉｎｔｅｒｆａｃｅ）のユーザＩＤやグループＩＤで差し替えたＵＵＩＤ（バージョン２）、ドメイン名などなんらかの一意な名前（バイト列）を用いたＵＵＩＤで、ハッシュ関数としてＭＤ５（バージョン３）またはＳＨＡ１（バージョン５）を利用したＵＵＩＤや、乱数によるＵＵＩＤ（バージョン４）等であっても良い。認証に用いられる他の情報として、ＳＩＭ（Ｓｕｂｓｃｒｉｂｅｒ  Ｉｄｅｎｔｉｔｙ  Ｍｏｄｕｌｅ）、カードの識別番号、端末の電話番号等であってもよい。
【００２２】
無線ネットワークインターフェース１１は、Ｂｌｕｅｔｏｏｔｈ（登録商標）のような近距離無線のインターフェースであっても良い。ユーザ端末１０と複合装置２０との通信は、有線で行われても良い。
【００２３】
制御部１２は、複合装置２０から送信された操作画面の表示データに基づいてユーザ端末１０の表示部１３に表示する。操作画面は、ユーザが複合装置２０のスキャナ、コピー、プリンタ、ファクシミリ等の各機能を操作する際に用いられる。制御部１２は、操作画面の表示以外にも、端末としての各種制御を実行する。
【００２４】
表示部１３は、制御部１２によって操作画面が表示されるディスプレイである。例えばＬＣＤ（Ｌｉｑｕｉｄ  Ｃｒｙｓｔａｌ  Ｄｉｓｐｌａｙ）である。
【００２５】
操作部１４は、タッチパネルで構成される。操作部１４は、表示部１３に表示されている操作画面を用いてユーザが入力する指示を受け付ける機能部である。
【００２６】
複合装置２０は、例えばスキャナ、コピー、プリント、ファクシミリ等の複数の機能を有する。複合装置２０は、ＬＡＮ、インターネット等のネットワークを介してデータを送受信する。複合装置２０は、公衆電話回線網等の通信網を介したデータ（例えば、ファクシミリの画像データ）の送受信を行う。複合装置２０は、端末接続モードと通常モードとを有する。端末接続モードは、本発明を適用した表示方法である。通常モードは、ユーザ端末１０が複合装置２０に接続されておらず、且つ、秘匿情報が複合装置２０に表示されないモードである。この通常モードにおいても、複合装置２０の機能は実行可能である。例えば、コピー、プリント、宛先を直接入力して送信するファクシミリ等の実行が可能である。
【００２７】
複合装置２０は、無線ネットワークインターフェース２１、操作パネル部２２、記憶部２３、認証部２４、制御部２５、有線ネットワークインターフェース２６、及び機能部２７を有する。
【００２８】
無線ネットワークインターフェース２１は、無線ネットワークを介して、ユーザ端末１０との間でデータを送受信する。無線ネットワークインターフェース２１は、ユーザ端末１０から送信される接続の認証を受信する。無線ネットワークインターフェース２１は、表示部１３に表示する操作画面の表示データをユーザ端末１０に送信する。
【００２９】
操作パネル部２２は、例えばタッチパネルである。操作パネル部２２は表示部２２１と操作部２２２とを有する。表示部２２１は、例えばＬＣＤである。表示部２２１には、複合装置２０の各機能を操作するための操作画面が表示される。操作部２２２は、ユーザが表示部２２１に表示されている操作画面を用いて入力する指示を受け付ける。
【００３０】
記憶部２３は、例えばフラッシュメモリ等の不揮発性メモリである。又は、ハードディスクドライブ等の記憶装置である。勿論、これ等に限られない。記憶部２３にはユーザログイン情報が記憶される（図２参照）。このユーザログイン情報は、ユーザＩＤとパスワードと端末識別情報とが関連付けられた情報である。ユーザＩＤは、複合装置２０を使用するユーザを一意に識別する識別情報である。パスワードは、該ユーザが複合装置２０を使用する際に複合装置２０にログインする為の情報である。複合装置２０を使用するユーザは、自身のユーザＩＤとパスワードとを、予め、記憶部２３に登録しておく。端末識別情報は、該ユーザが使用するユーザ端末１０を一意に識別するための情報である。前述の通り、端末識別情報はＭＡＣアドレスで説明される。勿論、これに限られない。
【００３１】
認証部２４は、ユーザ認証と端末認証とを行う。まず、ユーザ認証について説明する。ユーザが、自身のユーザＩＤとパスワードとを操作パネル部２２から入力する。認証部２４は、入力されたユーザＩＤ及びパスワードと、記憶部２３に記憶されているユーザログイン情報との照合（ユーザ認証）を行う。本実施の形態では、ユーザが自身のユーザＩＤを入力する例で説明される。ユーザが、表示部２２１に表示されているユーザＩＤのリストの中から自身のユーザＩＤを選択してパスワードを入力するようにしても良い。
【００３２】
次に端末認証が説明される。認証部２４は、ユーザ端末１０からの接続の認証要求を受信する。認証部２４は、接続の認証要求に含まれているＭＡＣアドレスとユーザ認証で入力されたユーザＩＤとを、記憶部２３のユーザログイン情報に基づいて照合する。これによって、ユーザ端末１０の端末認証が行われる。
【００３３】
制御部２５は、複合装置２０の各機能を操作するための操作画面の表示データを生成する。制御部２５が生成した操作画面の表示データは、ユーザ端末１０の表示部１３及び複合装置２０の表示部２２１に表示される。
【００３４】
ここで、操作画面が説明される。操作画面は、例えばＸＭＬ（Ｅｘｔｅｎｓｉｂｌｅ  Ｍａｒｋｕｐ  Ｌａｎｇｕａｇｅ）やＨＴＭＬ（Ｈｙｐｅｒｔｅｘｔ  Ｍａｒｋｕｐ  Ｌａｎｇｕａｇｅ）などのマークアップ言語で記述されたデータと、ジャバスクリプト（ＪａｖａＳｃｒｉｐｔ：登録商標）若しくはＧＵＩ（Ｇｒａｐｈｉｃａｌ  Ｕｓｅｒ  Ｉｎｔｅｒｆａｃｅ）といったスクリプト言語で記述されたスクリプトとから構成される。操作画面は、Ｗｅｂブラウザを用いて表示部に表示される。Ｗｅｂブラウザ以外の表示方法としては、専用アプリケーションによる表示等が考えられる。表示部１３と表示部２２１とで、同一のアプリケーションによって表示されても、異なるアプリケーションによって表示されても良い。以下では、どちらの操作画面も、マークアップ言語で記述したデータとスクリプトとから構成され、Ｗｅｂブラウザにより表示される。
【００３５】
操作画面は、前述の通り、表示部２２１に表示され、この表示された操作画面を用いてユーザは操作指示を入力する。操作画面は、例えばログイン画面（図４（１）参照）、メニュー画面（図４（２）参照）、又は設定画面（図４（３）参照）等が該当する。
【００３６】
前記操作画面は、前述の通り、ユーザ端末１０の表示部１３と複合装置２０の表示部２２１とに表示される。しかし、表示部１３と表示部２２１との間で、秘匿情報の表示が異なる。制御部２５は、現在ログインしているユーザＩＤに関連付けられている秘匿情報を読み出す。制御部２５は、表示部２２１に表示される操作画面（第１の操作画面）に、読み出した秘匿情報が表示されないように制御する。一方、制御部２５は、表示部１３に表示される操作画面（第２の操作画面）に、読み出した秘匿情報が表示されるように制御する。
【００３７】
ユーザ端末１０の表示部１３と複合装置２０の表示部２２１とに表示される操作画面が説明される。秘匿情報が表示されないよう制御する方法には、秘匿情報自体が表示されないように制御する方法と、秘匿情報を他の情報に置換して表示しないよう制御する方法とがある。以下では、ファクスの宛先情報が秘匿情報であり、ファクスの宛先を設定する操作画面の例で説明される。
【００３８】
ファクスの宛先情報（秘匿情報）自体が表示されないように制御する方法が説明される。複合装置２０の表示部２２１に表示される操作画面は宛先情報が表示されないように制御される。表示部２２１に表示された操作画面には秘匿情報が表示されない（図３（１）の複合装置側の図を参照）。宛先情報が表示されないようにする方法として、宛先情報自体を読み込まずに表示しないように制御する方法がある。読み込んだ宛先情報をＮｕｌｌ値に置換することによって、宛先情報を表示しないように制御する方法もある。何れの方法であっても良い。前記方法に限られない。ユーザ端末１０の表示部１３に表示される操作画面には宛先情報が表示されるよう制御される（図３（１）のユーザ端末側の図を参照）。
【００３９】
秘匿情報を他の情報に置換して表示しないよう制御する方法が説明される。複合装置２０の表示部２２１に表示される操作画面は、宛先情報を他の情報に置換することによって、宛先情報が表示されないよう制御される。例えば、宛先情報が伏字によって隠れるように置換される。これによって、宛先情報が表示されない状態となる（図３（２）の複合装置側の図を参照）。ユーザ端末１０の表示部１３に表示される操作画面には宛先情報が表示されるよう制御される。表示部１３に表示される操作画面には宛先情報が表示されている（図３（２）のユーザ端末側の図を参照）。複合装置２０の表示部２２１に表示される操作画面には、秘匿情報全てが表示されない場合と、秘匿情報の一部が表示されない場合とが有る。秘匿情報の一部が表示されないとは、秘匿情報の内容が類推されない程度である。
【００４０】
有線ネットワークインターフェース２６は、ネットワークを介してネットワーク上のデータサーバや記憶装置に接続する。ネットワークは、例えばＬＡＮ、インターネット等である。ネットワーク上のデータサーバや記憶装置には、例えば住所録やファイルがユーザＩＤに関連付けられて記憶されている。
【００４１】
機能部２７は、機能の集合部である。例えば、スキャナ、コピー、プリント、ファクシミリ等である。
【００４２】
続いて、本実施の形態の動作が説明される、図５は、本実施の形態のシーケンス図である。
【００４３】
制御部２５は、操作画面（ログイン画面）を表示部２２１に表示する（ステップ５０１：図４（１）参照）。ユーザは、自身に割り振られているユーザＩＤとパスワードとを入力する（ステップ５０２）。認証部２４は、入力されたユーザＩＤ及びパスワードが関連付けられてユーザログイン情報に記憶されているかを照合する。これにより、ユーザ認証が行われる（ステップ５０３）。前記照合が一致すればログインが許可され、一致しなければログインが拒否される。
【００４４】
ログインが許可された後に、ユーザ端末１０から送信された接続認証の要求を受け取る（ステップ５０４）。
【００４５】
認証部２４は、ユーザ端末１０からの接続認証の要求を無線ネットワークインターフェース２１から受け取り、接続認証に含まれているＭＡＣアドレスとログイン中のユーザＩＤとが関連付けられてユーザログイン情報に記憶されているか照合する。これにより端末認証が行われる（ステップ５０５）。ユーザＩＤとＭＡＣアドレスとが関連付けられて記憶されていると接続が許可され、関連付けられて記憶されていないと接続が拒否される。
【００４６】
認証部２４は、認証結果を、無線ネットワークインターフェース２１を介して、ユーザ端末１０に送信する（ステップ５０６）。
【００４７】
ステップ５０５で接続が許可された場合、制御部２５は、例えばメニュー画面（図４（２）参照）を表示する。このメニュー画面でユーザが選択した機能に応じて、秘匿情報が表示されないように制御された操作画面を表示部２２１に表示する（ステップ５０７）。図３（１）、（２）の複合装置側の図は、ファクス選択時の操作画面の一例である。制御部２５は、秘匿情報が表示されるように制御した操作画面の表示データをユーザ端末１０に送信する（ステップ５０８）。図３（１）、（２）のユーザ端末側の図は、ファクス選択時の操作画面の一例である。
【００４８】
ユーザ端末１０の制御部１２は、無線ネットワークインターフェース１１が受信した操作画面の表示データに基づいて、自端末の表示部１３に操作画面表示する（ステップ５０９）。
【００４９】
ユーザ端末１０の表示部１３に表示されている操作画面を用いてユーザが入力した指示を操作部１４が受け取る（ステップ５１０）。この受け取った指示が、無線ネットワークインターフェース１１を介して、複合装置２０に送信される（ステップ５１１）。
【００５０】
機能部２７は、無線ネットワークインターフェース２１が受信したユーザ端末１０からの指示に応じた機能を実行する（ステップ５１２）。
【００５１】
続いて、複合装置２０の動作が説明される。図６は、複合装置２０の動作を説明するためのフロー図である。
【００５２】
制御部２５が操作画面（ログイン画面：図３（１）参照）を表示部２２１に表示して、ユーザからの入力を待つ（ステップ６０１）。
【００５３】
ユーザは、操作部２２２を用いて、ユーザＩＤとパスワードとを入力する。認証部２４は、記憶部２３のユーザログイン情報に前記ユーザＩＤ及び前記パスワードが関連付けられて記憶されているかを照合する（ステップ６０２）。前記照合結果がＯＫの場合、認証部２３はログインを許可する（ステップ６０２：Ｙｅｓ）。前記照合結果がＮＧの場合、認証部２３はログインを拒否する（ステップ６０２：Ｎｏ）。ログインが拒否されると、ユーザは複合装置２０を使用できず、終了する。
【００５４】
ログインが許可されると（ステップ６０２：Ｙｅｓ）、無線ネットワークインターフェース２１はユーザ端末１０からの接続認証の要求を受信する（ステップ６０３）。
【００５５】
認証部２４は、ログイン中のユーザＩＤ及び受信した接続認証の要求に含まれているＭＡＣアドレスが関連付けられてユーザログイン情報に記憶されているかを照合する（ステップ６０４）。認証部２４は、前記照合結果がＯＫの場合、接続を許可する（ステップ６０４：Ｙｅｓ）。前記照合結果がＮＧの場合、接続は拒否される（ステップ６０４：Ｎｏ）。接続拒否の場合（ステップ６０４：Ｎｏ）、無線ネットワークインターフェース２１は、認証部２４から接続拒否の認証結果を受信し、ユーザ端末１０に送信する（ステップ６０５）。通常モードの操作画面が表示部２２１に表示される。機能部２７は通常モードで機能を実行する（ステップ６１０）。
【００５６】
接続許可の場合（ステップ６０４：Ｙｅｓ）、制御部２５は操作画面を複合装置２０の表示部２２１に表示する（ステップ６０６）。例えば、メニュー画面（図４（２）参照）、該メニューにおいてユーザが選択した機能に応じた設定画面（図４（３）参照）が表示される。
【００５７】
制御部２５は、ログイン中のユーザＩＤに関連付けられている秘匿情報を読み出す。読み出された秘匿情報が表示されるように制御された操作画面の表示データが、無線ネットワークインターフェース２１を介して、ユーザ端末１０に送信される（ステップ６０７）。秘匿情報が表示された操作画面がユーザ端末１０の表示部１３に表示される。
【００５８】
ユーザがユーザ端末１０の表示部１３に表示されている操作画面を用いて指示した内容を操作部１４が受け取る。受け取った指示内容は、無線ネットワークインターフェース１１を介して、複合装置２０に送信される（ステップ６０８）。
【００５９】
機能部２７は、無線ネットワークインターフェース２１を介して受信した指示内容に応じた機能を実行する（ステップ６０９）。
【００６０】
上記説明の通常モードは、複合装置２０の表示部２２１に秘匿情報が表示されない場合である。しかしながら、この通常モードは、秘匿情報の種類や秘匿レベルを各ユーザが予め設定し、秘匿情報を設定された条件に沿って表示しても良い。
【００６１】
上記説明の例は、ユーザ認証を必ず行う例であったが、ユーザ認証を省略しても良い。この場合は、端末認証時に用いるＭＡＣアドレスをユーザＩＤの代わりに用いる。
【００６２】
上記説明の例は、端末認証後も、ユーザが複合装置２０の表示部２２１に表示されている操作画面を用いて操作しても、その操作を操作部２２２が受け付ける例であった。しかしながら、端末認証後は表示部２２１に表示されている操作画面を用いての操作を受け付けない構成であって良い。この場合、認証部２４は、端末認証が終了すると、制御部２５に対して端末認証が終了した旨を通知する。制御部２５は、表示部２２１に表示されている操作画面を用いての操作指示を無効にする制御を行う。即ち、操作部２２２が操作指示を受け付けないように制御する。操作部２２２は、この通知以降、表示部２２１に表示されている操作画面を用いての操作指示を受け付けない。端末１０が接続されている間は、複合装置２０の機能操作は、端末１０の表示部１３に表示されている操作画面を用いて行われる。
【００６３】
＜具体例１＞
以下、具体的な動作例が説明される。本具体例は、ユーザが、端末認証後も、複合装置２０の表示部２２１に表示されている操作画面を用いて操作できる例である。図７は、コピー機能が選択された場合の画面遷移を説明するための図である。
【００６４】
ログイン画面（図７（１）参照）が表示部２２１に表示される。ユーザは自身に割り振られているユーザＩＤとパスワードとを入力する。ユーザＩＤ“ＡＡＡ”、パスワード“ＦＸ００１”が入力されたとする。
【００６５】
認証部２４は、ユーザＩＤ“ＡＡＡ”とパスワード“ＦＸ００１”とがユーザログイン情報に関連付けられて記憶されているか否かの照合を行う。図２のログイン情報を参照すると、ユーザＩＤ“ＡＡＡ”とパスワード“ＦＸ００１”とが対応付けられているため、ログインが許可される。
【００６６】
ログインが許可されると、ユーザ端末１０が接続の認証要求を送信する。接続の認証要求は、ＭＡＣアドレスとして“１２−３４−５６−７８−９０−１１”を含んだ状態で送信されたとする。
【００６７】
認証部２４は、このＭＡＣアドレス“１２−３４−５６−７８−９０−１１”とログイン中のユーザのユーザＩＤ“ＡＡＡ”とが関連付けられてユーザログイン情報に記憶されているか否かを照合することにより認証する。ここで、図２のログイン情報を参照すると、ＭＡＣアドレス“１２−３４−５６−７８−９０−１１”とユーザＩＤ“ＡＡＡ”とが対応づけられているため、接続が許可される。この認証結果はユーザ端末１０に送信される。この時、ユーザ端末１１の表示部１３に認証結果が表示される（図７（２）のユーザ端末側参照）。
【００６８】
認証結果を送信後、操作画面（メニュー画面：図７（２）参照）が表示部２２１に表示される。ここで、例えばコピーする書類が複合装置にセットされ、コピー機能が選択される。
【００６９】
操作画面（コピーの設定画面：図７（３）の複合装置側を参照）が表示部２２１に表示される。機能部２７のスキャン機能部は、スキャンした画像を、ログイン中のユーザＩＤと関連付けて、ＲＡＭに一時的に記憶させる。制御部２５は、スキャンした画像が表示されるように制御した操作画面の表示データを、ユーザ端末１０に送信する。ユーザ端末１０の制御部１２は、受信した表示データに基づいて操作画面を表示部１３に表示する。図７（３）のユーザ端末側の図は、ユーザ端末１０の表示部１３にスキャン画像が表示される一例である。
【００７０】
ここで、ユーザは、表示部１３に表示されている操作画面で、スキャンした画像を確認する。確認結果に応じて、複合装置２０の機能を操作するための指示が、操作画面を用いて選択される。この選択された指示内容は複合装置２０に送信される。
【００７１】
複合装置２０では、指示内容に応じた操作が実行される。
【００７２】
このように、本実施の形態は、秘匿情報を複合装置２０の表示部２２１に表示させず、複合装置２０が端末認証したユーザ端末１０の表示部１３にのみ表示させる。これにより秘匿性が高まる。
【００７３】
＜具体例２＞
本具体例は、複合装置２０の表示部２２１に表示されている操作画面を用いての操作指示を、端末認証後は受け付けない例である。ファクス機能が選択された例が説明される。図８〜図１０は、本具体例における操作画面の一例である。ファクス機能で用いられる住所録は、ＬＡＮ上にあるデータサーバにおいて、ユーザＩＤ毎に関連付けられて記憶されているとする。
【００７４】
操作画面（ログイン画面：図８の複合装置側の図を参照）が、複合装置２０の表示部２２１に表示される。ユーザは自身に割り振られているユーザＩＤとパスワードとを入力する。ここではユーザＩＤ“ＡＡＡ”、パスワード“ＦＸ００１”が入力されたとする。
【００７５】
認証部２４は、入力されたユーザＩＤ“ＡＡＡ”とパスワード“ＦＸ００１”とが関連付けられて、記憶部２３のユーザログイン情報に記憶されているか否かを照合する。図２のログイン情報では、ユーザＩＤ“ＡＡＡ”とパスワード“ＦＸ００１”とが関連付けられて記憶されている。よって、ログインが許可される。
【００７６】
ログインが許可されると、ユーザ端末１０は接続の認証要求を送信する。ここでは、ＭＡＣアドレスとして“１２−３４−５６−７８−９０−１１”が認証要求に含まれているとする。
【００７７】
認証部２４は、ＭＡＣアドレス“１２−３４−５６−７８−９０−１１”とログイン中のユーザＩＤ“ＡＡＡ”とが関連付けられてユーザログイン情報に記憶されているか否かを照合する。図２では、ＭＡＣアドレス“１２−３４−５６−７８−９０−１１”とユーザＩＤ“ＡＡＡ”とが対応付けられていることが判る。端末１０が接続許可された旨の認証結果がユーザ端末１０に送信される。接続許可された旨の認証結果がユーザ端末１１の表示部１３に表示される（図８の端末側の図参照）。
【００７８】
認証部２４は、端末１０が接続許可された旨を制御部２５に通知する。制御部２５は、この通知を受けると、表示部２２１に表示されている操作画面を用いての操作指示を無効にする制御を行う。
【００７９】
認証結果送信後、操作画面（メニュー画面：図９の複合装置側の図参照）が複合装置２０の表示部２２１に表示される。このメニュー画面でファクス機能が選択されたとしても、操作部２２２は操作指示を受け付けない。操作画面（メニュー画面：図９のユーザ端末側の図参照）が、ユーザ端末１０の表示部１３に表示される。ユーザがこのメニュー画面でファクス機能を選択する。選択された操作指示は操作部１４に受け付けられる。受け付けられた操作指示（ファクス）は無線ネットワークインターフェース１１を介して複合装置２０に送信される。制御部２５が、無線ネットワークインターフェース２１を介して操作指示（ファクス）を受け付ける。
【００８０】
ユーザ端末１０が複合装置２０に接続している間、表示部２２１に表示される操作画面は遷移しない（図１０の複合装置側の図を参照）。操作画面（メニュー画面：図１０のユーザ端末側の図を参照）が、ユーザ端末１０の表示部１３に表示される。ユーザがこのメニュー画面で住所録を選択する。選択された操作指示（住所録）は操作部１４に受け付けられる。受け付けられた操作指示（住所録）は無線ネットワークインターフェース１１を介して複合装置２０に送信される。制御部２５が、無線ネットワークインターフェース２１を介して操作指示（住所録）を受け付ける。制御部２５は、ログイン中のユーザＩＤに対応付けられている住所録を、ＬＡＮ上のデータサーバから読み込む。機能部２７のファクス機能部は、スキャンした画像を、ユーザ認証したユーザＩＤと関連付けて一時的にＲＡＭに記憶させる。制御部２５は、スキャンした画像と読み込んだ住所録の宛先情報とが表示部１３に表示されるように制御する。このように制御された操作画面の表示データは無線ネットワークインターフェース２１を介してユーザ端末１０に送信される。
【００８１】
制御部１２は、無線ネットワークインターフェース１１を介して受信した操作画面を表示部１３に表示させる（図１１のユーザ端末側の図を参照）。複合装置２０の表示部２２１にあっては、画面の遷移は行われない（図１１の複合装置側の図を参照）。即ち、秘匿情報は、複合装置２０の表示部２２２に表示されない。図１１では、住所録の宛先が表示される操作画面とスキャン画像が表示される操作画面とが、操作画面の切り替えにより表示される。しかし、これらの操作画面を１つの操作画面に統合してもよい。
【００８２】
ユーザは、ユーザ端末１０の表示部１３に表示されている操作画面で宛先を選択する。選択された操作指示（宛先）は操作部１４に受け付けられる。ユーザは、スキャンされた画像を確認する。ユーザは、スキャンされた画像をファクス送信するための操作指示“ＯＫ”を、操作画面を用いて選択する。選択された操作指示は操作部１４に受け付けられる。受け付けられた操作指示（宛先及びＯＫ）は無線ネットワークインターフェース１１を介して複合装置２０に送信される。
【００８３】
機能部２７のファクス機能部は、無線ネットワークインターフェース２１を介して操作指示（宛先及びＯＫ）を受け付ける。ファクス機能部は、操作指示に従って、スキャンされた画像を宛先に送信する。
【００８４】
本実施の形態によれば、秘匿情報は、多くのユーザが視認可能な複合装置２０の表示部２２１に表示されない。秘匿情報は、接続許可されたユーザ端末１０の表示部１３に表示されるのみである。秘匿情報は他のユーザに視認され難い。特定の者は秘匿情報を視認できるが、前記以外の者には秘匿性が確保される。
【００８５】
本実施の形態によれば、操作画面は、複合装置２０の表示部２２１の他に、ユーザ端末１０の表示部１３にも表示される。これにより、両方の表示部を用いることにより、複合装置２０の操作に関する情報を表示する領域が大きくなる。複合装置２０の操作性が向上する。表示部の表示領域が大きくない複合装置に有効である。
【００８６】
＜第２の実施の形態＞
上記実施の形態は、複合装置２０は、ユーザ端末１０からの接続の認証要求が送信されるのを待っている例であった。本実施の形態は、複合装置２０が接続の認証要求を送信するようにユーザ端末１０にリクエストする例である。尚、上記実施の形態と同様の構成については、同じ番号を用いて説明することにより、詳細な説明は省略される。
【００８７】
上記実施の形態と異なる点について説明する。
【００８８】
認証部２４は、秘匿情報を表示する指示がある旨の通知を操作部２２２から受け取る。認証部２４は、この通知を受けると、接続の認証要求の送信のリクエストを、無線ネットワークインターフェース２１を介してユーザ端末１０に送信する。即ち、認証部２４は、接続の認証要求の送信をユーザ端末１０にリクエストする指示があるか否かを判断する。
【００８９】
操作部２２２は、ユーザが表示部２２１に表示されている操作画面を用いて秘匿情報を表示する旨の操作を行うと、その旨を認証部２４に通知する。
【００９０】
無線ネットワークインターフェース１１は、複合装置２０から接続の認証要求の送信のリクエストを受信すると、接続の認証要求を送信する。
【００９１】
続いて、複合装置２０の動作が説明される。図１２は、複合装置２０の動作を説明するフロー図である。
【００９２】
ステップ６０１及びステップ６０２の動作は、実施の形態１と同じである。
【００９３】
ログインが許可されると（ステップ６０２：Ｙｅｓ）、通常モードの操作画面が表示部２２１に表示される。機能部２７は通常モードで機能を実行する（ステップ６１０）。
【００９４】
認証部２４は、ユーザ端末１０に接続の認証要求の送信をリクエストする指示があるか否かを判断する（ステップ９０２）。認証要求の送信をリクエストする指示が無いと判断されると（ステップ９０２：Ｎｏ）、ステップ６１０に戻る。認証要求の送信をリクエストする指示があると判断されると（ステップ９０２：Ｙｅｓ）、認証部２４は無線ネットワークインターフェース２１を介して認証要求の送信をユーザ端末１０にリクエストする（ステップ９０３）。このリクエストに応答して、ユーザ端末１０が無線ネットワークインターフェース１１を介して送信した認証要求を受信する（ステップ６０３）。
【００９５】
接続の認証要求を受信した後の動作は、実施の形態１同様に、ステップ６０４からステップ６１０を行う。
【００９６】
＜具体例３＞
次に、第２の実施の形態において、ユーザによってファクス機能が選択された場合の具体的な動作を説明する。
【００９７】
操作画面（ログイン画面：図１３を参照）が、複合装置２０の表示部２２１に表示される。ユーザは自身に割り振られているユーザＩＤとパスワードとを入力する。ここではユーザＩＤ“ＡＡＡ”、パスワード“ＦＸ００１”が入力されたとする。
【００９８】
認証部２４は、入力されたユーザＩＤ“ＡＡＡ”とパスワード“ＦＸ００１”とが関連付けられて、記憶部２３のユーザログイン情報に記憶されているか否かを照合する。図２のログイン情報では、ユーザＩＤ“ＡＡＡ”とパスワード“ＦＸ００１”とが関連付けられて記憶されている。よって、ログインが許可される。
【００９９】
ログインが許可されると、通常モードの操作画面（メニュー画面：図１４を参照）が表示部２２１に表示される。機能部２７は通常モードで機能を実行する。ユーザがメニュー画面でファクスを選択すると、操作画面（設定画面：図１５を参照）が表示部２２１に表示される。ここで、宛先が選択されたとする。
【０１００】
制御部２５は、ログイン中のユーザＩＤに対応付けられている住所録を、ＬＡＮ上のデータサーバから読み込む。機能部２７のファクス機能部は、スキャンした画像を、ログイン中のユーザＩＤと関連付けてＲＡＭに一時的に記憶させる。
【０１０１】
通常モードで実行中であるため、秘匿情報が表示されないように制御された操作画面が表示部２２１に表示される（図１６参照）。図１６（１）は、秘匿情報自体が表示されないように制御された操作画面の例である。図１６（２）は、秘匿情報を他の情報に置換した操作画面の例である。
【０１０２】
ユーザが、秘匿情報が表示されるべき箇所（例えば、図１６（１）（２）において点線で囲った箇所）を選択する。これを操作部２２２が認識する。操作部２２２は、ユーザが秘匿情報を表示する操作が行われた旨を認証部２４に通知する。認証部２４は接続の認証要求の送信を、無線ネットワークインターフェース２１を介して、ユーザ端末１０にリクエストする。このリクエストに応答して、ユーザ端末１０は無線ネットワークインターフェース１１を介して、接続の認証要求を送信する。ここで、接続の認証要求にＭＡＣアドレスとして“１２−３４−５６−７８−９０−１１”が含まれているとする。
【０１０３】
認証部２４は、無線ネットワークインターフェース２１を介して接続の認証要求を受信する。ＭＡＣアドレス“１２−３４−５６−７８−９０−１１”と、ログイン中のユーザＩＤ“ＡＡＡ”とが関連付けられて、ユーザログイン情報で記憶されているか否かを照合する。図２のユーザログイン情報では、ＭＡＣアドレス“１２−３４−５６−７８−９０−１１”とユーザＩＤ“ＡＡＡ”とが対応付けられている。認証部２４は、接続許可の認証結果を、無線ネットワークインターフェース２１を介してユーザ端末１０に送信する。
【０１０４】
制御部２５は、スキャンした画像と読み込んだ住所録の宛先情報とが表示されるように制御された操作画面の表示データをユーザ端末１０に送信する。制御部１２は、複合装置２０から送信された表示データに基づいて操作画面を表示部１３に表示する（図１７のユーザ端末側の図を参照）。図１７では、住所録の宛先が表示される操作画面とスキャン画像表示される操作画面とが、操作画面の切り替えにより表示される。しかし、これらの操作画面を１つの操作画面に統合してもよい。
【０１０５】
複合装置２０の表示部２２１には、住所録の宛先及びスキャン画像が表示されないように制御された操作画面（図１７の複合装置側の図を参照）が表示されるのみである。即ち、秘匿情報は表示されない。
【０１０６】
ユーザは、ユーザ端末１０の表示部１３に表示されている操作画面で宛先を選択する。選択された操作指示（宛先）は操作部１４に受け付けられる。ユーザは、スキャンされた画像を確認する。ユーザは、スキャンされた画像をファクス送信するための操作指示“ＯＫ”を、操作画面を用いて選択する。選択された操作指示は操作部１４に受け付けられる。受け付けられた操作指示（宛先及びＯＫ）は無線ネットワークインターフェース１１を介して複合装置２０に送信される。機能部２７のファクス機能部は、無線ネットワークインターフェース２１を介して操作指示（宛先及びＯＫ）を受け付ける。ファクス機能部は操作指示に従って、スキャンされた画像を宛先に送信する。
【０１０７】
本実施の形態によれば、ユーザが秘匿情報を表示させる必要となった時点で、秘匿情報がユーザ端末１０に表示される。故に、ユーザの利便性が高い。
【０１０８】
＜第３の実施の形態＞
本実施の形態は、上記実施の形態に加えて行われる制御の例である。本実施の形態は、表示部１３と表示部２２１とに表示されるそれぞれの操作画面で、同一機能部の操作において異なる操作指示が行えるように制御する例である。上記実施の形態と同様の構成は同一番号を付し、詳細な説明は省略する。
【０１０９】
制御部２５は、ユーザ端末１０の表示部１３と複合装置２０の表示部２２１とで、同じ機能部の操作において、異なる操作指示が可能となるように操作画面を制御する。制御部２５は、表示部２２１に表示されている操作画面が遷移しないように固定する。異なる操作指示は、少なくとも一つは異なるである。二つ以上異なる操作指示でも良い。
【０１１０】
（実施例４）
本実施の形態が説明される。図１８は、表示部１３及び表示部２２１に表示される操作画面の一例である。ここでは、上記実施の形態で説明した処理を経て、既にユーザ認証及び端末認証が終了しているとして説明する。
【０１１１】
操作画面（メニュー画面：図１８（１）を参照）が表示部２２１に表示される。ここでユーザがコピー機能を選択したとする。操作画面（コピーの設定画面：図１８（２）を参照）が表示部２２１に表示される。制御部２５は、スクロールしないと表示できない操作指示が表示されるように制御した操作画面の表示データを、ユーザ端末１０に送信する。この時、制御部２５は、表示部２２１に表示されている操作画面を、スクロール出来ないように固定する。図１８（３）は、表示部２２１に表示された操作画面と、表示部１３に表示された操作画面の例である。図１８（３）において、ユーザ端末側に秘匿情報が表示されておらず、選択できる操作指示のみの表示となっている。しかし、操作画面のスクロール又は操作指示の選択によって画面遷移して秘匿情報が表示されるべき画面になると、秘匿情報が表示される。
【０１１２】
表示部２２１と表示部１３とで異なる操作指示が行える操作画面が表示されるので、複合装置２０の機能の操作に必要な情報が一度に多く表示される。
【０１１３】
上述した本発明の端末は、上記説明からも明らかなように、ハードウェアで構成することも可能であるが、コンピュータプログラムにより実現することも可能である。この場合、複合装置２０は、プロセッサ１２１、メモリ（ＲＯＭやＲＡＭ）１２２、記憶装置（ハードディスク、半導体ディスクなど）１２３、入力装置（キーボード、マウス、タッチパネル）１２４、表示装置１２５、通信部１２６などのハードウェア資源を有する汎用のコンピュータによっても実現可能である（図１９参照）。一部の機能のみをコンピュータプログラムにより実現することも可能である。
【０１１４】
以上、好ましい実施の形態及び実施例が説明された。しかしながら、本発明は、必ずしも上記実施の形態及び実施例に限定されるものではなく、その技術的思想の範囲内において様々に変形され実施できる。
【０１１５】
上記の実施形態の一部又は全部は、以下の付記のようにも記載されうるが、以下には限られない。
【０１１６】
（付記１）
少なくとも一以上のプロセッサを有し、
前記プロセッサは、
情報処理装置の機能を操作するための操作画面であり、秘匿情報が表示されない第１の操作画面を前記情報処理装置に表示し、
前記情報処理装置の機能を操作するための操作画面であり、秘匿情報が表示された第２の操作画面を端末に表示するように制御する。
【符号の説明】
【０１１７】
１０    ユーザ端末
１１    無線ネットワークインターフェース
１２    制御部
１３    表示部
２０    複合装置
２１    無線ネットワークインターフェース
２２    操作パネル部
２２１  表示部
２２２  操作部
２３    記憶部
２４    認証部
２５    制御部
２６    有線ネットワークインターフェース
２７    機能部
【図１】
2018124711.tif 000003
【図２】
2018124711.tif 000004
【図３】
2018124711.tif 000005
【図４】
2018124711.tif 000006
【図５】
2018124711.tif 000007
【図６】
2018124711.tif 000008
【図７】
2018124711.tif 000009
【図８】
2018124711.tif 000010
【図９】
2018124711.tif 000011
【図１０】
2018124711.tif 000012
【図１１】
2018124711.tif 000013
【図１２】
2018124711.tif 000014
【図１３】
2018124711.tif 000015
【図１４】
2018124711.tif 000016
【図１５】
2018124711.tif 000017
【図１６】
2018124711.tif 000018
【図１７】
2018124711.tif 000019
【図１８】
2018124711.tif 000020
【図１９】
2018124711.tif 000021